(57)【要約】【課題】  紙容器の意匠性を向上させ、且つ、重ねた紙容器を取り出し易くさせる胴ラベルが容易に取り付けられる紙容器を提供する。【解決手段】  紙容器の側壁部１２は、内方側より、第１の内方フィルム層１４、第２の内方フィルム層１５、板紙１６、発泡層１７及び発泡層１７の外方面を覆うように巻き付けられた胴ラベル２０を備える。胴ラベル２０は、紙部分２１と、紙部分２１の外方面に形成され、印刷より形成されるインキ層２２とを含む。このように構成すると、ざらついた発泡層１７の表面を胴ラベル２０にて覆い隠せると共に、発泡層１７の表面のざらつきにより胴ラベル２０がずれにくいので、紙容器１０の意匠性を向上させ、且つ、重ねた紙容器１０を取り出し易くさせる胴ラベル２０が容易に取り付けられる。又、平坦な紙部分２１に印刷を施すことが可能となるので、印刷が容易となり、且つ、鮮明となる。【選択図】  図３
2014125242.tif 000002
【特許請求の範囲】
【請求項１】
底面部と、前記底面部の外縁より立ち上がる側壁部とからなり、上部が開放された紙容器であって、
前記側壁部が、
内方側に位置する板紙と、
前記板紙の外方面に形成され、発泡性樹脂を発泡させた発泡層と、
前記発泡層の外方面の少なくとも一部を覆うように巻き付けられた、紙製の胴ラベルとを備えた、紙容器。
【請求項２】
前記胴ラベルは、
内方側に位置し、その外方面に印刷が施された紙部分と、
前記紙部分の外方面を覆うように形成され、透明な合成樹脂よりなるフィルム層とを含む、請求項１記載の紙容器。
【請求項３】
前記胴ラベルは、
紙部分と、
前記紙部分の少なくとも一方の面を覆うように形成され、合成樹脂よりなるフィルム層とを含む、請求項１記載の紙容器。
【発明の詳細な説明】
【技術分野】
【０００１】
この発明は紙容器に関し、特に熱湯を収容する紙容器に関するものである。
【背景技術】
【０００２】
熱湯を注いで調理する即席カップめんやスープの容器として、例えば以下のような紙容器が既に存在している。
【０００３】
図９は、そのような紙容器の外観形状を示す正面図であり、図１０は、図９で示したＸ−Ｘラインの端面図であり、図１１は、図１０で示した“Ｙ”部分の拡大図である。
【０００４】
まず、図９及び図１０を参照して、紙容器８０は、底面部８１と、底面部８１の外縁より立ち上がる側壁部８２とからなり、上部が開放されたものである。側壁部８２の表面には図柄８９が描写されている。
【０００５】
次に、図１１を参照して、側壁部８２は、内方側より、ポリエチレン（ＰＥ）よりなる第１の内方フィルム層８３、ポリエチレンテレフタレート（ＰＥＴ）よりなる第２の内方フィルム層８４、ＰＥよりなる第３の内方フィルム層８５、板紙８６、発泡ポリエチレンを発泡させた発泡層８７及びインキ層８８を備えるものである。尚、図１１では第１の内方フィルム層８３、第２の内方フィルム層８４、第３の内方フィルム層８５及びインキ層８８の各々を、各々が隣接する部材より離れるように図示しているが、図示の関係上このように表現しただけであって、実際にはこれらの部材は隣接する部材に密着状態で配置されている。
【０００６】
第１の内方フィルム層８３及び第３の内方フィルム層８５の各々は熱湯や汁等の液体が、第２の内方フィルム層８４は食品より発生する油が、それぞれ板紙８６に染み出さないようにするものである。又、発泡層８７は断熱材として機能し、熱湯が注がれた紙容器８０の内部の熱により側壁部８２の外面が熱くなりすぎるのを防いでいる。インキ層８８は、図柄８９を描写して紙容器８０の意匠性を向上させると共に、成分表示等の種々の情報を側壁部８２の表面に表示させるものである。
【発明の概要】
【発明が解決しようとする課題】
【０００７】
上記のような従来の紙容器８０は、発泡層８７が発泡ポリエチレンの発泡により形成されるため、発泡層８７の表面は平滑ではなく所々に凹凸が生じるざらついたものとなっていた。そのため、インキ層８８に割れが生じ、図９に示すように図柄８９等の印刷が不鮮明となっていた。又、紙容器８０を重ねた場合に、一方の紙容器８０の内方面に他方の紙容器８０の発泡層８７のざらついた表面が接触するため、紙容器８０の取り出し時に、紙容器８０同士が引っ掛かりやすく、取り出しにくいものとなっていた。
【０００８】
尚、発泡ポリエチレンの量を増加すると共に発泡ポリエチレンの発泡度合を低く設定すればインキ層８８の割れは減少するが、コストが嵩む。
【０００９】
又、発泡層に代えて片面段ボール等よりなる断熱部材を板紙の外方面に取付けた紙容器も存在しているが、このような紙容器は断熱部材と板紙とを接着剤等にて接着しなければならず、製造上煩わしいものであった。
【００１０】
この発明は、上記のような課題を解決するためになされたもので、紙容器の意匠性を向上させ、且つ、重ねた紙容器を取り出し易くさせる胴ラベルが容易に取り付けられる紙容器を提供することを目的とする。
【課題を解決するための手段】
【００１１】
上記の目的を達成するために、請求項１記載の発明は、底面部と、底面部の外縁より立ち上がる側壁部とからなり、上部が開放された紙容器であって、側壁部が、内方側に位置する板紙と、板紙の外方面に形成され、発泡性樹脂を発泡させた発泡層と、発泡層の外方面の少なくとも一部を覆うように巻き付けられた、紙製の胴ラベルとを備えたものである。
【００１２】
このように構成すると、発泡層の表面のざらつきにより胴ラベルがずれにくい。
【００１３】
請求項２記載の発明は、請求項１記載の発明の構成において、胴ラベルは、内方側に位置し、その外方面に印刷が施された紙部分と、紙部分の外方面を覆うように形成され、透明な合成樹脂よりなるフィルム層とを含むものである。
【００１４】
このように構成すると、平坦な紙部分に印刷を施すことが可能となる。
【００１５】
請求項３記載の発明は、請求項１記載の発明の構成において、胴ラベルは、紙部分と、紙部分の少なくとも一方の面を覆うように形成され、合成樹脂よりなるフィルム層とを含むものである。
【００１６】
このように構成すると、容器の内方側に生じる熱い空気が外方に抜けにくくなる。
【発明の効果】
【００１７】
以上説明したように、請求項１記載の発明は、発泡層の表面のざらつきにより胴ラベルがずれにくいので、紙容器の意匠性を向上させ、且つ、紙容器を取り出し易くさせる胴ラベルが容易に取り付けられる。
【００１８】
請求項２記載の発明は、請求項１記載の発明の効果に加えて、平坦な紙部分に印刷を施すことが可能となるので、印刷が容易となり、且つ、鮮明となる。
【００１９】
請求項３記載の発明は、請求項１記載の発明の効果に加えて、容器の内方側に生じる熱い空気が外方に抜けにくくなるので、胴ラベルが薄さと高い断熱性とを兼ね備えたものとなる。
【図面の簡単な説明】
【００２０】
【図１】この発明の第１の実施の形態による紙容器の外観形状を示す正面図である。
【図２】図１で示したＩＩ−ＩＩラインの端面図である。
【図３】図２で示した“Ｘ”部分の拡大図である。
【図４】図１で示した胴ラベルの取付前の外観形状を示す正面図である。
【図５】この発明の第２の実施の形態による紙容器の側壁部の拡大端面図であって、第１の実施の形態の図３に対応する図である。
【図６】この発明の第３の実施の形態による紙容器の側壁部の拡大端面図であって、第１の実施の形態の図３に対応する図である。
【図７】この発明の第４の実施の形態による紙容器の側壁部の拡大端面図であって、第１の実施の形態の図３に対応する図である。
【図８】この発明の第５の実施の形態による紙容器の側壁部の拡大端面図であって、第３の実施の形態の図６に対応する図である。
【図９】従来の紙容器の外観形状を示す正面図である。
【図１０】図９で示したＸ−Ｘラインの端面図である。
【図１１】図１０で示した“Ｙ”部分の拡大図である。
【発明を実施するための形態】
【００２１】
図１は、この発明の第１の実施の形態による紙容器の外観形状を示す正面図であり、図２は、図１で示したＩＩ−ＩＩラインの端面図であり、図３は、図２で示した“Ｘ”部分の拡大図であり、図４は、図１で示した胴ラベルの取付前の外観形状を示す正面図である。
【００２２】
これらの図を参照して、紙容器１０は、底面部１１と、底面部１１の外縁より立ち上がる側壁部１２とからなり、上部が開放されたものである。
【００２３】
側壁部１２は、内方側より、ポリエチレンテレフタレート（ＰＥＴ）よりなる厚さ２５μｍの第１の内方フィルム層１４、ポリエチレン（ＰＥ）よりなる厚さ３０μｍの第２の内方フィルム層１５、板紙１６、板紙１６の外方面にて厚さ６０μｍに塗布された発泡ポリエチレンを、１１５℃のオーブンに入れて２分間加熱して発泡させて形成したものよりなる発泡層１７及び発泡層１７の外方面のほぼ全域を覆うように巻き付けられた胴ラベル２０を備えるものである。
【００２４】
胴ラベル２０は、図４に示したように扇状の形状を有し、図３に示したように、紙部分２１と、紙部分２１の外方面に形成されたインキ層２２とを含むものである。胴ラベル２０の紙容器１０への取付は、胴ラベル２０を発泡層１７の表面に密着させて巻き付けた状態で、胴ラベル２０の一方端部２４を他方端部２５に接着剤等で接着して輪状にすることにより行われる。
【００２５】
第１の内方フィルム層１４及び第２の内方フィルム層１５は、食品より発生する油、熱湯や汁等の液体が、板紙１６に染み出さないようにするものである。又、発泡層１７は断熱材として機能し、熱湯が注がれた紙容器１０の内部の熱により側壁部１２の外面が熱くなりすぎるのを防いでいる。胴ラベル２０のインキ層２２は、図柄２９を描写して紙容器１０の意匠性を向上させると共に、成分表示等の種々の情報を側壁部１２の表面に表示させるものである。尚、図３では第１の内方フィルム層１４、第２の内方フィルム層１５、紙部分２１及びインキ層２２の各々を、各々が隣接する部材より離れるように図示しているが、図示の関係上このように表現しただけであって、実際にはこれらの部材は隣接する部材に密着状態で配置されている。
【００２６】
このように構成すると、ざらついた発泡層１７の表面を胴ラベル２０にて覆い隠せると共に、発泡層１７の表面のざらつきにより胴ラベル２０がずれにくいので、紙容器１０の意匠性を向上させ、且つ、重ねた紙容器１０を取り出し易くさせる胴ラベル２０が容易に取り付けられる。又、平坦な紙部分２１に印刷を施すことが可能となるので、印刷が容易となり、且つ、鮮明となる。
【００２７】
図５は、この発明の第２の実施の形態による紙容器の側壁部の拡大端面図であって、第１の実施の形態の図３に対応する図である。
【００２８】
図を参照して、第１の実施の形態による紙容器１０の側壁部１２において、胴ラベル２０が、紙部分２１の内方側の面を覆うように、ポリブチレンテレフタレート（ＰＢＴ）よりなる厚さ１８μｍのフィルム層２３が押出成形により形成されたものに置き換えられている。尚、他の紙容器１０の構成要素は第１の実施の形態によるものと同一であるため、ここでの説明は繰り返さない。このように構成すると、容器１０の内方側に生じる熱い空気が外方に抜けにくくなるので、胴ラベル２０が薄さと高い断熱性とを兼ね備えたものとなる。
【００２９】
図６は、この発明の第３の実施の形態による紙容器の側壁部の拡大端面図であって、第１の実施の形態の図３に対応する図である。
【００３０】
図を参照して、第１の実施の形態による紙容器１０の側壁部１２において、胴ラベル２０が、内方側に位置し、その外方面に印刷が施された、すなわちインキ層２２が形成された紙部分２１と、紙部分２１の外方面を覆うように、透明のポリブチレンテレフタレート（ＰＢＴ）よりなる厚さ１８μｍのフィルム層２６が押出成形により形成されたものに置き換えられている。尚、他の紙容器１０の構成要素は第１の実施の形態によるものと同一であるため、ここでの説明は繰り返さない。このように構成すると、容器１０の内方側に生じる熱い空気が外方に抜けにくくなるので、胴ラベル２０が薄さと高い断熱性とを兼ね備えたものとなる。又、胴ラベル２０の外方面が透明なフィルム層２６に覆われるため、インキ層２２を保護すると共に紙容器１０の意匠性及び紙容器１０の表面の平滑度がより向上する。
【００３１】
図７は、この発明の第４の実施の形態による紙容器の側壁部の拡大端面図であって、第１の実施の形態の図３に対応する図である。
【００３２】
図を参照して、第１の実施の形態による紙容器１０の側壁部１２において、胴ラベル２０が、紙部分２１の内方側の面を覆うように接着されたポリエチレンテレフタレート（ＰＥＴ）よりなる厚さ１２μｍのフィルム層２３と、紙部分２１の外方面を覆うように接着された透明のポリエチレンテレフタレート（ＰＥＴ）よりなる厚さ１２μｍのフィルム層２６とを有するものに置き換えられている。尚、他の紙容器１０の構成要素は第１の実施の形態によるものと同一であるため、ここでの説明は繰り返さない。このように構成すると、容器１０の内方側に生じる熱い空気がより外方に抜けにくくなるので、胴ラベル２０の断熱性がより向上する。又、胴ラベル２０の外方面が透明なフィルム層２６に覆われるため、インキ層２２を保護すると共に紙容器１０の意匠性及び紙容器１０の表面の平滑度がより向上する。
【００３３】
図８は、この発明の第５の実施の形態による紙容器の側壁部の拡大端面図であって、第３の実施の形態の図６に対応する図である。
【００３４】
図を参照して、第３の実施の形態による紙容器１０の側壁部１２において、胴ラベル２０の紙部分２１の厚みが増したものに置き換えられている。尚、他の紙容器１０の構成要素は第３の実施の形態によるものと同一であるため、ここでの説明は繰り返さない。このように構成すると、胴ラベル２０の厚みが増すので、胴ラベル２０の断熱性がより向上する。
【００３５】
尚、上記の各実施の形態では、胴ラベルはその外方面に印刷が施されたものであったが、印刷が施されていないものであってもよい。
【００３６】
又、上記の各実施の形態では、胴ラベルは発泡層の外方面のほぼ全域を覆うように巻き付けられていたが、発泡層の少なくとも一部を覆うように巻き付けられていればよい。
【００３７】
更に、上記の各実施の形態では、胴ラベルは一方端部と他方端部とを接着することのみによって発泡層に巻き付けて紙容器に取付けられていたが、胴ラベルと発泡層とを接着することによって紙容器に取付けてもよい。
【００３８】
更に、上記の各実施の形態では、発泡層は特定の発泡性樹脂を発泡させたものよりなるものであったが、他の発泡性樹脂を発泡させたものよりなるものであってもよい。
【００３９】
更に、上記の第２の実施の形態から第５の実施の形態では、フィルム層は特定の合成樹脂よりなるものであったが、他の合成樹脂よりなるものであってもよい。
【００４０】
更に、上記の各実施の形態では、胴ラベルは一重巻きのものであったが、二重以上に巻かれるものであってもよい。
【実施例】
【００４１】
このように、紙容器１０は、胴ラベル２０を備えることにより、断熱性、意匠性、取り出し易さ（すべり性）が向上する。しかし、上述した各実施の形態のように、胴ラベル２０の構成は種々あり、その構成によって、断熱性、意匠性、すべり性の向上度合いが異なる。
【００４２】
そこで、各実施の形態による断熱性、意匠性、すべり性の向上度合いを検討するために、実験を行った。
【００４３】
まず、実験に際して、後述する表１に示すような、従来の紙容器に対応する比較例１（日清食品株式会社の商品「カップヌードル」（カップヌードルは登録商標です）の容器）と、コップ成形機によって発泡前の口径１００φ×高さ１２０ｍｍ×テーパー６度からなる紙カップを形成し、比較例２及び比較例３と、第１の実施の形態に対応する実施例１、第２の実施の形態に対応する実施例２、第３の実施の形態に対応する実施例３、第４の実施の形態に対応する実施例４及び第５の実施の形態に対応する実施例５とを準備する。尚、比較例３及び実施例１〜５の各々の発泡は、１１５℃のオーブンに入れて２分間加熱することにより行う。このようにして得た各試料につき、断熱性、意匠性、すべり性の向上度合いの判定を行った。
１．断熱性に対する実験
（１）測定条件
各試料において、沸騰したお湯を３５０ｍｌ入れ、お湯を入れてから一分後にまずお湯の温度を測定する。次に、お湯の温度を測定してから１分後に紙コップの側面を接触温度計にて測定する。
（２）測定基準
まず、１．（１）に記載の測定条件にて測定を三回行い、それぞれの測定におけるお湯の温度と側面の温度の平均を求める。次に、試料毎にお湯の温度の平均値と側面の温度の平均値との差を求め、その温度差より試料毎に温度勾配を算出する。尚、温度勾配は以下の式により算出する。
【００４４】
温度勾配＝温度差／素材厚み（ｍ）／６０（秒）
素材厚みはマイクロメーターにより実測する。このようにして算出した温度勾配より、比較例３の温度勾配を基準とした評価値（比較例３を１．００とする）を試料毎に算出する。
２．意匠性に対する実験
（１）測定条件
各試料において、印刷面にＰＯＳバーコードを印刷したものを１０個準備し、バーコードリーダーを用いて、印刷したＰＯＳバーコードの読み取りの可否を試料毎に測定する。
（２）測定基準
各試料において、１０個とも正確にＰＯＳバーコードが読み取れたものを合格と判断する。
３．すべり性に対する実験
（１）測定条件
各試料において、１０個の紙コップをスタックし、最上段の紙コップに３５０ｍｌの水を注ぎ、１０分間放置した。その後、最上段の紙コップより、紙コップを１個ずつ順番に引き出し分離した。
（２）測定基準
各試料において、１０個の紙コップ全てが１個ずつ引き出されて分離できれば合格とし、紙コップが２個以上連なって引き出されて分離される場合があれば不合格とする。
【００４５】
各試料毎の上記各実験による判定結果を以下の表に示す。
【００４６】
【表１】
2014125242.tif 000003
【表２】
2014125242.tif 000004
【００４７】
４．断熱性に対する実験の測定結果
上記の表２の「評価値」の列を参照して、各試料の評価値を比較した。
【００４８】
測定結果から以下の内容が判明した。
【００４９】
基準となる比較例３よりも低い評価となった比較例２は断熱性がほとんど無く、それ以外の試料については断熱性が認められる。これは、発泡層により、各試料の内方側の熱が側面側に伝わりにくくなることに起因しているものと思われる。
【００５０】
尚、評価値の低いものから順に、１点から７点までの評価点数をつける。試料が８種類あるにも関わらず評価点数が１点から７点までとなっているのは、評価値が同じ値であった実施例２及び実施例３に同じ点数をつけたからである。
５．意匠性に対する実験の測定結果
上記の表２の「意匠性」の列を参照して、合格したものには○印を、不合格のものには×印を付けている。尚、インキ層を設けなかった比較例２及び比較例３はいずれも、評価の対象外とした。
【００５１】
測定結果から以下の内容が判明した。
【００５２】
発泡層に直接印刷を施す比較例１は印刷が不鮮明であり、意匠性に問題がある。一方、胴ラベルに印刷が施される実施例１〜５については印刷が鮮明であり、意匠性に問題は無い。これは、印刷を施す場所が平坦でない場合には、インキ層に割れが生じることに起因しているものと思われる。
【００５３】
尚、合格した試料には１点の評価点数をつける。
６．すべり性に対する実験の測定結果
上記の表２の「すべり性」の列を参照して、合格したものには○印を、不合格のものには×印を付けている。尚、断熱性ほとんど無し及び意匠性の評価対象外とした比較例２と、意匠性の評価対象外とした比較例３とは、いずれも容器としての必要基準を満たさないとして、評価の対象外としている。
【００５４】
測定結果から以下の内容が判明した。
【００５５】
発泡層がむき出しになっている比較例１は試料同士が引っ掛かりやすく、すべり性に問題がある。一方、発泡層を覆う胴ラベルが取付けられた実施例１〜５については試料同士が引っ掛からず、すべり性に問題は無い。これは、発泡層の表面のざらつきにより、試料同士が引っ掛かり易くなることに起因しているものと思われる。
【００５６】
尚、合格した試料には１点の評価点数をつける。
７．総括
表１、表２及び上記の測定結果を参照して、３つの実験の全てにおいて対象外とならなかった比較例１、実施例１〜５の各々について評価点数を合計した総合評価点数を算出した。そして、総合評価点数の高いものを上位として総合順位をつけると、実施例４が１位となり、以下、実施例２と実施例３とが同位、実施例５、実施例１と比較例１とが同位という順位となった。
【００５７】
以上のことから、胴ラベルの有無及びその構成の選択は、紙容器の断熱性、意匠性及びすべり性に大きな影響を与える要素と言える。
【符号の説明】
【００５８】
１０…紙容器
１１…底面部
１２…側壁部
１６…板紙
１７…発泡層
２０…胴ラベル
２１…紙部分
２２…インキ層
２３…フィルム層
２６…フィルム層
尚、各図中同一符号は同一又は相当部分を示す。
【図１】
2014125242.tif 000005
【図２】
2014125242.tif 000006
【図３】
2014125242.tif 000007
【図４】
2014125242.tif 000008
【図５】
2014125242.tif 000009
【図６】
2014125242.tif 000010
【図７】
2014125242.tif 000011
【図８】
2014125242.tif 000012
【図９】
2014125242.tif 000013
【図１０】
2014125242.tif 000014
【図１１】
2014125242.tif 000015
【手続補正書】
【提出日】平成25年8月2日(2013.8.2)
【手続補正１】
【補正対象書類名】明細書
【補正対象項目名】００１１
【補正方法】変更
【補正の内容】
【００１１】
上記の目的を達成するために、請求項１記載の発明は、底面部と、底面部の外縁より立ち上がる側壁部とからなり、上部が開放された紙容器であって、側壁部が、内方側に位置する板紙と、板紙の外方面に形成され、発泡性樹脂を発泡させた発泡層と、発泡層の外方面の少なくとも一部を覆うように巻き付けられた、紙製の胴ラベルとを備え、胴ラベルは、紙部分と、紙部分の少なくとも一方の面を覆うように形成され、断熱性を有する合成樹脂よりなるフィルム層とを含むものである。
【手続補正２】
【補正対象書類名】明細書
【補正対象項目名】００１２
【補正方法】変更
【補正の内容】
【００１２】
このように構成すると、発泡層の表面のざらつきにより胴ラベルがずれにくい。又、容器の内方側に生じる熱い空気が外方に抜けにくくなる。
【手続補正３】
【補正対象書類名】明細書
【補正対象項目名】００１３
【補正方法】変更
【補正の内容】
【００１３】
請求項２記載の発明は、請求項１記載の発明の構成において、紙容器は複数個重ねた状態から一つずつ取り出して使用されるものであり、紙部分は内方側に位置し、その外方面に印刷を施したことによるインキ層が形成され、フィルム層は、インキ層が形成された紙部分の外方面を覆うように形成され、透明であるものである。
【手続補正４】
【補正対象書類名】明細書
【補正対象項目名】００１４
【補正方法】変更
【補正の内容】
【００１４】
このように構成すると、平坦な紙部分に印刷を施すことが可能となる。又、胴ラベルの外方面が透明なフィルム層に覆われる。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
以上説明したように、請求項１記載の発明は、発泡層の表面のざらつきにより胴ラベルがずれにくいので、紙容器の意匠性を向上させ、且つ、紙容器を取り出し易くさせる胴ラベルが容易に取り付けられる。又、容器の内方側に生じる熱い空気が外方に抜けにくくなるので、胴ラベルが薄さと高い断熱性とを兼ね備えたものとなる。
【手続補正８】
【補正対象書類名】明細書
【補正対象項目名】００１８
【補正方法】変更
【補正の内容】
【００１８】
請求項２記載の発明は、請求項１記載の発明の効果に加えて、平坦な紙部分に印刷を施すことが可能となるので、印刷が容易となり、且つ、鮮明となる。又、胴ラベルの外方面が透明なフィルム層に覆われるため、インキ層を保護すると共に紙容器の意匠性及び紙容器の表面の平滑度がより向上する。
【手続補正９】
【補正対象書類名】明細書
【補正対象項目名】００１９
【補正方法】削除
【補正の内容】
【手続補正１０】
【補正対象書類名】特許請求の範囲
【補正対象項目名】全文
【補正方法】変更
【補正の内容】
【特許請求の範囲】
【請求項１】
底面部と、前記底面部の外縁より立ち上がる側壁部とからなり、上部が開放された紙容器であって、
前記側壁部が、
内方側に位置する板紙と、
前記板紙の外方面に形成され、発泡性樹脂を発泡させた発泡層と、
前記発泡層の外方面の少なくとも一部を覆うように巻き付けられた、紙製の胴ラベルとを備え、
前記胴ラベルは、
紙部分と、
前記紙部分の少なくとも一方の面を覆うように形成され、断熱性を有する合成樹脂よりなるフィルム層とを含む、紙容器。
【請求項２】
前記紙容器は、複数個重ねた状態から一つずつ取り出して使用されるものであり、
前記紙部分は内方側に位置し、その外方面に印刷を施したことによるインキ層が形成され、
前記フィルム層は、
前記インキ層が形成された前記紙部分の前記外方面を覆うように形成され、透明である、請求項１記載の紙容器。